(57)【要約】【課題】輸送時や保管時の占有空間が小さく使用時に片手でも組み立てることができ、かつ、商品の包装を簡単に行うことができるようにすること。【解決手段】六面体の包装箱の前壁１の下端側に順次連設された底壁２、後壁及３び天壁４と、前記天壁４の前縁に連設されたフラップ５と、前記前壁１及び後壁３の各側部にそれぞれ連設された側壁６ａ，６ｂ，１４ａ，１４ｂとからなり、前記側壁６ａ，６ｂ，１４ａ，１４ｂに相互に係合する切欠部７ａ，７ｂ、１５ａ，１５ｂを形成し、前記側壁６ａ，６ｂ，１４ａ，１４ｂをそれぞれ内側に折り畳み、かつ、前記前壁１を内側に折り畳んだ状態で、前記側壁１４ａ，１４ｂの自由端側係合部２０ａ，２０ｂと前記側壁６ａ，６ｂの自由端側係合部１３ａ，１３ｂとが部分的に重なり合い、組み立て時に前記側壁６ａ，６ｂ，１４ａ，１４ｂを相互に交差係合させて起立させる。【選択図】  図１
2004189281.tif 000002
【特許請求の範囲】
【請求項１】
六面体の包装箱を形成する包装箱の前壁の下端側に順次連設された底壁、後壁及び天壁と、前記天壁の前縁に連設された係止用舌片を備えたフラップと、前記前壁及び後壁の各側部にそれぞれ連設された側壁とからなり、前記前壁と後壁の相対する側壁に相互に係合する切欠部を形成し、前記側壁をそれぞれ内側に折り畳み、かつ、前記前壁を内側に折り畳んだ状態で、前記切欠部により区画される後壁に連設された側壁の自由端側係合部と前壁に連設された側壁の自由端側係合部とが部分的に重なり合い、組み立て時に、後壁の上端縁と前壁の下端縁との両側から押圧することにより前記側壁を相互に交差係合させて起立させることを特徴とするワンタッチ組立式包装箱。
【請求項２】
前記天壁の前縁に係止用舌片を備えたフラップを連設する一方、前記前壁に係止用切込みを設け、前記天壁を内側に折り込んで後壁に重ね合わせた際、前記フラップに設けた係止用舌片を前記前壁に設けた係止用切込みに嵌入させてなる請求項１に記載のワンタッチ組立式包装箱。
【請求項３】
前記後壁と天壁に当該後壁から天壁に至る取出用ミシン目を設けてなる請求項１又は２に記載のワンタッチ組立式包装箱。
【請求項４】
前記前壁に連設された各側壁が、各側壁の上端縁の略中央部から下端縁に向かって伸長し当該側壁の略中央部で終端する切欠部を備え、前記後壁に連設された各側壁が、各側壁の下端縁の略中央部から上端縁に向かって伸長し当該側壁の略中央部で終端する切欠部を有する請求項１又は２に記載のワンタッチ組立式包装箱。
【発明の詳細な説明】
【０００１】
【発明の属する技術分野】
本発明はワンタッチ組立式包装箱、特に、保管時に扁平で嵩張らず使用時に簡単に立体構造に組み立てることができるワンタッチ組立式包装箱に関するものである。
【０００２】
【従来の技術】
一般に、持ち帰り用食品の販売に際しては、注文数の商品を紙袋や包装箱に詰め、これを店舗独自の化粧紙で包装した後、フィルムバッグに入れて購入者に渡される場合が多い。これらの包装箱や化粧紙は、商品の汚れや破損を防ぎ、商品及び販売店のイメージを向上させるために必要不可欠のものとして汎用されている。しかしながら、商品によっては購入直後に飲食される場合も多いため、その場合には全ての包装材が直ちにゴミとなり、環境保護の観点から望ましいものではない。
【０００３】
このため、最近では、包装紙を省略するため直接印刷した折り畳み式包装箱や組み立て式包装箱が多用されるようになってきている。この種の包装箱としては、正方形又は長方形の底板に、端壁と左右の側壁を折り曲げ起伏可能に連設すると共に、端壁と側壁の各上辺部に、内側に向けて略水平方向に折り曲げ可能な壁縁片を設け、且つ上記折り曲げ状態で隣接する壁縁片を連結固定する係止構造を設けてなる折り畳み式包装箱が提案されている（例えば、特許文献１参照）。また、包装箱は、１枚の台紙を折り畳み組み立てることによって形成される箱部と、この箱部を包むことのできる形状およびサイズを有する包装紙とを備え、前記包装紙は、前記箱部を包装するため、折り畳んだ際にそれ自体が重なり合う部分を少なくとも残して前記台紙に接着されており、前記箱部と包装紙の折り畳みを実質的に一体にかつ同時に行なうことのできる包装箱も提案されている（例えば、特許文献２参照）。
【０００４】
【特許文献１】
特開２００２−２８４１４２号公報（第１頁）
【特許文献２】
特開平８−９１３６０号公報（第１頁）
【０００５】
【発明が解決しようとする課題】
しかしながら、前記包装箱は、一枚の板紙を箱の展開図の形状に打ち抜き、これを部分的に接着したり、多数の折り曲げ工程が必要であるなどの問題があるほか、太鼓焼き等の安価な商品を２乃至３個包装するにはコストが高くなり過ぎるという問題がある。また、折り畳み式であるため、包装箱の保管空間は狭くできるが、商品の包装に際して組み立てに手間がかかるという問題がある。
【０００６】
従って、本発明は、輸送時や保管時の占有空間が小さく使用時に片手でも組み立てることができ、かつ、商品の包装を簡単に行うことができる包装箱を得ることを目的とするものである。
【０００７】
【課題を解決するための手段】
本発明は、前記課題を解決するための手段として、六面体の包装箱を形成する包装箱の前壁の下端側に順次連設された底壁、後壁及び天壁と、前記天壁の前縁に連設された係止用舌片を備えたフラップと、前記前壁及び後壁の各側部にそれぞれ連設された側壁とからなり、前記前壁と後壁の相対する側壁に相互に係合する切欠部を形成し、前記側壁をそれぞれ内側に折り畳み、かつ、前記前壁を内側に折り畳んだ状態で、前記切欠部により区画される後壁に連設された側壁の自由端側係合部と前壁に連設された側壁の自由端側係合部とが部分的に重なり合い、組み立て時に、後壁の上端縁と前壁の下端縁との両側から押圧することにより前記側壁を相互に交差係合させて起立させるようにし、これにより包装箱を組み立てるようにしたものである。
【０００８】
なお、本明細書においては、発明を理解しやすくするため、包装箱を構成する面をそれぞれ前壁、底壁、後壁、側壁及び天壁と称しているが、これらは相対的な呼び名であって、必ずしもこれらの呼び名に限定されるものではない。例えば、前記前壁を後壁と呼び、前記後壁を前壁と呼んでもよく、これらを側壁と呼んでも良い。
【０００９】
好ましい実施態様においては、前記天壁の前縁に係止用舌片を備えたフラップを連設する一方、前記前壁に係止用切込みを設け、前記天壁を内側に折り込んで後壁に重ね合わせた際、前記フラップに設けた係止用舌片を前記前壁に設けた係止用切込みに嵌入させることができるようにしてある。
【００１０】
他の好ましい実施態様においては、後壁から天壁に至る取出用ミシン目を設け、天壁を閉じたまま、取出用ミシン目に沿って開封することにより中身を取り出し、その開封部分を元の位置に戻すことにより再封可能にしてある。
【００１１】
また、他の実施態様においては、前記前壁に連設された各側壁には、その上端縁の略中央部から下端縁に向かって伸長し当該側壁の略中央部で終端する切欠部が形成され、前記後壁に連設された各側壁には、その下端縁の略中央部から上端縁に向かって伸長し当該側壁の略中央部で終端する切欠部が形成される。
【００１２】
前記構成によれば、後壁の上端縁と前壁の下端縁との両側から押圧すると、
前記側壁に設けた切欠部に相手方の係合用舌片が係合して側壁がＸ字状に交差係合しながら起立して六面体の包装箱が完成する。従って、少数個の商品を入れる包装箱の場合、後壁の上端縁と前壁の下端縁との長さが短いので、片手の親指と他の指との間に包装箱を挟み、両側から押圧するだけで、包装箱をワンタッチ、ワンアクションで組み立てることができる。
【００１３】
【発明の実施の形態】
以下添付の図面を参照して本発明の実施の形態について説明する。
【００１４】
図１は本発明の一実施例に係るワンタッチ組立式包装箱の展開図を示し、前記展開状態の包装箱シートは、その前壁１の下端側に底壁２、後壁及３び天壁４が順次連設され、前記天壁４の前端縁にフラップ５が連設されている。前記前壁１の両側縁部にはそれぞれ包装箱の奥行寸法と同一又はそれより若干短い長さの側壁６ａ，６ｂが連設され、それに対応して前記後壁の両側縁部にもそれぞれ包装箱の奥行寸法と同一又はそれより若干短い長さの側壁１４ａ，１４ｂが連設されている。
【００１５】
前記側壁６ａ，６ｂには、その上端縁の略中央部から下端縁に向かって伸長し当該側壁６の略中央部で終端する切欠部７ａ，７ｂが左右対称に形成されている。前記切欠部７は、側壁６ａ，６ｂの上端側から伸びる湾曲部８ａ，８ｂ、当該湾曲部８ａ，８ｂから側壁中央部に向かってほぼ垂下する垂下部９ａ，９ｂ、当該垂下部９ａ，９ｂから側壁中央部でＵ字状に湾曲する中央湾曲部１０ａ，１０ｂ、当該中央湾曲部１０ａ，１０ｂから自由端側上端に向かって、かつ、外方向へ傾斜しながら伸長する傾斜部１１ａ，１１ｂ及び当該傾斜部１１ａ，１１ｂから側壁の自由端側上端縁に連なる第三湾曲部１２ａ，１２ｂを含み、側壁６ａ，６ｂの自由端側に係合用舌片１３ａ，１３ｂを形成している。なお、側壁６ａ，６ｂをそれぞれ内側に折って両者を重ねた際、両切欠部７の垂下部９間の間隔は、側壁６ａの自由端と側壁６ｂの自由端との間の寸法より若干大きくしてある。
【００１６】
同様に、前記後壁に連接された前記側壁１４ａ，１４ｂには、その上端縁の略中央部から下端縁に向かって伸長し当該側壁１４の略中央部で終端する切欠部１５ａ，１５ｂが左右対称に形成されている。前記切欠部１５ａ，１５ｂは、側壁１４ａ，１４ｂの下端側から側壁中央部に向かってほぼ垂直に伸長する垂下部１６ａ，１６ｂ、当該垂下部１６ａ，１６ｂから側壁中央部でＵ字状に湾曲する中央湾曲部１７ａ，１７ｂ、当該中央湾曲部１７ａ，１７ｂから自由端側上端に向かって、かつ、外方向へ傾斜しながら伸長する傾斜部１８ａ，１８ｂ及び当該傾斜部８ａ，１８ｂから側壁の自由端側上端縁に連なる第四湾曲部１９ａ，１９ｂを含み、側壁１４ａ，１４ｂの自由端側に係合用舌片２０ａ，２０ｂを形成している。なお、側壁１４ａ，１４ｂをそれぞれ内側に折って両者を重ねた際、両切欠部１５ａ，１５ｂの垂下部間の間隔は、側壁１４ａの自由端と側壁１４ｂの自由端との間の寸法より若干大きくしてある。
【００１７】
また、前記係合用舌片１３ａ，１３ｂ，２０ａ，２０ｂの長さは、側壁６ａ，６ｂ，１４ａ，１４ｂの長さ、即ち、箱の高さよりも短く、前記側壁６ａ，６ｂ，１４ａ，１４ｂをそれぞれ内側に折り畳み、かつ、前記前壁１を内側に折り畳んだ状態で、前記前壁１に連設した側壁６ａ，６ｂの前記係合用舌片１３ａ，１３ｂと後壁３に連設した側壁１４の前記係合用舌片１４ａ，１４ｂとがそれらの先端部分で若干重なり合う長さにしてある。
【００１８】
前記天壁４の前縁に連設されたフラップ５には、図１に示すように、フラップ５の自由端側中央部を挟む切欠部２１を形成して係止用舌片２２を形成する一方、それに対応して前壁１に切込み２３を形成し、包装箱を折り畳む際、係止用舌片２２を切込み２３に嵌入させるようにしても良い。この場合、係止用舌片の基部に一対の切込み２４を入れ、係止用舌片２２を切込み２３に深く嵌入したら抜け出ることのない状態にする、いわゆる嵌め殺しにするようにしても良い。
【００１９】
前記展開状態の包装箱シートを折り畳み状態の包装箱にするには、図２に示すように、まず、包装箱シートの片側、例えば、右側側壁６ｂ、１４ｂを内側に折り曲げてそれぞれ前壁１と後壁３とに折り重ね（図２（イ）参照）、次いで、左側側壁６ａ、１４ａを内側に折り曲げて前記右側側壁６ｂ、１４ｂに折り重ねる（図２（ロ）参照）。その状態で前壁１を内側に折り曲げた後、底壁２と後壁３とを外側に若干反らせて前記前壁側の側壁６ａ，６ｂの係合用舌片１３ａ，１３ｂを前記後壁側の側壁１４ａ，１４ｂの係合用舌片２０ａ，２０ｂの下側に入り込ませ（図２（ハ）参照）、その後、天壁４を内側に折り曲げて当該天壁４に連設したフラップ５の係止用舌片２２を前壁１の切込み２３に嵌入させることにより商品としての包装箱が完成する（図２（ニ）参照）。
【００２０】
実際の使用に際しては、例えば、図２（ニ）に示す折り畳み状態の包装箱を図の状態から裏返した状態で多数重ねておき、その最上位の折り畳み状態の包装箱の後壁３の上端縁と前壁１の下端縁に相当する部分を片手の親指と他の指とで挟み、そのまま親指と他の指との間隔を狭めて押圧すると、前記側壁６ａ，６ｂ，１４ａ，１４ｂに設けた切欠部７ａ，７ｂ、１５ａ，１５ｂに係合用舌片１３ａ，１３ｂ，２０ａ，２０ｂが係合し、当該切欠部７ａ，７ｂ、１５ａ，１５ｂの傾斜部１１ａ，１１ｂ、１８ａ，１８ｂが交差係合して相手方の側壁を開く方向に引っ張り合ため、側壁６ａ，６ｂ，１４ａ，１４ｂがＸ字状に交差状態に自動的に起立させられ、蓋がされた状態の包装箱が組み上がる。そのまま包装箱を目の方に向けると、箱の前面側が手前にくるので、そのフラップ５を他方の手で外方へ押すと、蓋（天壁）が開くので（図３参照）、包装箱の内部にアクセスできる。この包装箱に商品、例えば、回転焼きを入れた後、蓋を閉めて前記フラップ５の係止用舌片２２を切込み２３に完全に嵌入させれば良い。
【００２１】
前記構造にすれば、折り畳み状態の包装箱を製造する場合でも、接着剤やバインダなど接着するための材料は全く不要であり、しかも折り畳み加工も単に折り曲げるだけでよいため、その作業も自動化でき、製造コストを抑制することができる。
【００２２】
因みに、太鼓焼きや回転焼き二個入り用包装箱の場合、包装箱の後壁から天壁４に至る取出用ミシン目２５を設けるようにしても良い。この場合、折り畳み状態の包装箱から立体の包装箱に前記方法により片手で組み立てることができ、また、購入者は蓋を閉じたまま、取出用ミシン目２５に沿って開封することにより中身を一個づつ取り出すことが可能であり、また、一個取り出したあとも、その開封部分を元の位置に戻すことにより開口部が塞がるので、そのままバックやポケットに入れることもできる。なお、開封し易くするため、取出用ミシン目２５の頂部２５ａに対応する天壁４の部分に複数の切断線２６を入れると共に、該切断線２６の頂部を結ぶ折線２７を入れ、前記切断線２６、折線２７及び取り出し用ミシン目で囲まれた領域を指で押さえた際に、当該領域が折線２７を中心にして箱の内側へ陥没し、前記頂部２５ａを指で引き上げることが出来るようにしても良い。
【００２３】
前記構成によれば、後壁の上端縁と前壁１の下端縁との両側から押圧すると、後壁の自由端側舌片と前壁１の自由端側舌片とが相互に相手側の溝に沿ってＸ字状に交差係合しながら起立して側壁を形成し、六面体の包装箱が完成する。従って、少数個の商品を入れる包装箱の場合、後壁の上端縁と前壁１の下端縁との長さが短いので、片手の親指と他の４本の指との間に包装箱を挟み、両側から押圧するだけで、包装箱をワンタッチ、ワンアクションで組み立てることができる。
【００２４】
なお、本発明のワンタッチ組立式包装箱は、任意の商品に適用でき、例えば、店頭販売食品では、豚まんやシューマイなどの蒸し菓子、コロッケ、フライ、天ぷらなどの揚げ物食品、ハンバーガー、太鼓焼きや回転焼きその他の焼き物食品、更にはアイスクリームやアイスモナカなどの氷菓子などが代表的なものとして挙げられるが、これらにのみ限定されるものではないことは言うまでもない。
【００２５】
【発明の効果】
以上の説明から明らかなように、本発明に係る包装箱は、ワンタッチ、ワンアクションで組み立てることができ、良好な商品保護能力と化粧能力を有し、商品の包装作業が簡単で、輸送時や保管時の占有空間が小さく、安価に製造できる、また、包装箱全体が紙で形成され、しかも、接着剤等を使用していないため、地球に優しいリサイクルを行うことができ、無公害で燃えるゴミとして焼却できる、など優れた効果を奏する。
【図面の簡単な説明】
【図１】本発明の一実施例に係る包装箱の展開図
【図２】図１の包装箱の製造過程を示す平面図
【図３】図１に示す包装箱の蓋を開けた組み立て状態を示す斜視図
【符号の説明】
１…前壁
２…底壁
３…後壁
４…天壁
５…フラップ
６ａ，６ｂ…側壁
７ａ，７ｂ…切欠部
８ａ，８ｂ…湾曲部
９ａ，９ｂ…垂下部
１０ａ，１０ｂ…中央湾曲部
１１ａ，１１ｂ…傾斜部
１２ａ，１２ｂ…湾曲部
１３ａ，１３ｂ…係合用舌片
１４ａ，１４ｂ…側壁
１５ａ，１５ｂ…切欠部
１６ａ，１６ｂ…垂下部
１７ａ，１７ｂ…中央湾曲部
１９ａ，１９ｂ…湾曲部
２０ａ，２０ｂ…係合用舌片
２１…切欠部
２２…係止用舌片
２３…切込み
２４…切込み
２５…取出用ミシン目
【図１】
2004189281.tif 000003
【図２】
2004189281.tif 000004
【図３】
2004189281.tif 000005